(57)【特許請求の範囲】
【請求項１】
室内熱交換器（２１）を有し、前記室内熱交換器に室内空気を通して室内空気の熱交換を行う空調室内機（２）と、
室内に連通しているホース（６８）を有し、水分を付与した空気を前記ホースで送る加湿を行う加湿器（６）と、
通常モードでは室内の空気調和を行うように、洗浄モードでは室内空気を加湿した後で前記室内熱交換器を洗浄する洗浄動作を行うように、前記空調室内機と前記加湿器とを制御する制御部（８）と
を備え、
前記制御部は、
前記通常モードでは、水分が付与された空気を送り始める前に前記ホースを乾燥させる第１乾燥動作を行うように前記加湿器を制御し、
前記洗浄モードでは、前記ホースを乾燥させる運転を行わずに水分が付与された空気を送り始めるように或いは、前記第１乾燥動作よりも運転時間が短い第２乾燥動作によって水分が付与された空気を送り始める前に前記ホースを乾燥させるように、前記加湿器を制御する、空調システム（１）。
【請求項２】
前記制御部は、前記洗浄モードでは、前記室内熱交換器の洗浄動作を行った後に、前記ホースを乾燥させる第３乾燥動作を行うように前記加湿器を制御する、
請求項１に記載の空調システム（１）。
【請求項３】
前記加湿器は、ヒータ（６２）を有し、
前記制御部は、前記第３乾燥動作では、空気に水分を付与する機能を停止して前記ヒータで加熱された空気を前記ホースの中を通すように前記加湿器を制御する、
請求項２に記載の空調システム（１）。
【請求項４】
前記加湿器は、外気の水分を吸着する吸着部材を有し、前記ホースで室内に送る空気に、前記吸着部材で外気から吸着した水分を付与する、
請求項１から３のいずれか一項に記載の空調システム（１）。
【請求項５】
前記制御部は、前記洗浄モードで、加湿を行うように前記加湿器を制御した後に、前記室内熱交換器の表面で結露水を生じさせて前記表面を結露水で洗浄する洗浄動作を行うように前記空調室内機を制御する、
請求項１から４のいずれか一項に記載の空調システム（１）。
【発明の詳細な説明】
【技術分野】
【０００１】
室内熱交換器の洗浄を行うための洗浄モードを有する空調システム
【背景技術】
【０００２】
従来から、室内を加湿する加湿ユニットが室外に配置される場合がある。例えば、特許文献１（特開２０１８−７１９０５号公報）に記載されている加湿ユニットは、室外に配置され、室内空間の周囲の壁を通過して室外と室内に連通するホースを有している。特許文献１の加湿ユニットは、ホース内に結露水が溜まって異音が発生するのを防止するため、加湿前にホースの乾燥を行う。
【発明の概要】
【発明が解決しようとする課題】
【０００３】
しかしながら、特許文献１の加湿ユニットでは、ホースの乾燥によってホースでの異音の発生を低減できるものの、加湿によって室内が目標湿度に達するのが乾燥に費やされる運転時間だけ遅れることになる。そのため、特許文献１の加湿ユニットを用いて室内を加湿した後に、空調室内機の室内熱交換器を洗浄しようとすると、洗浄動作を開始するのが遅くなってしまう。
【０００４】
ホースを使って室内を加湿する加湿器で室内を加湿してから室内熱交換器を洗浄する空調システムには、洗浄の開始までの時間を短縮するという課題がある。
【課題を解決するための手段】
【０００５】
第１観点の空調システムは、空調室内機と加湿器と制御部とを備えている。空調室内機は、室内熱交換器を有し、室内熱交換器に室内空気を通して室内空気の熱交換を行う。加湿器は、室内に連通しているホースを有し、水分を付与した空気をホースで送る加湿を行う。制御部は、通常モードでは室内の空気調和を行うように、洗浄モードでは加湿の後で室内熱交換器を洗浄する洗浄動作を行うように、空調室内機と加湿器とを制御する。制御部は、通常モードでは、水分が付与された空気を送り始める前にホースを乾燥させる第１乾燥動作を行うように加湿器を制御する。制御部は、洗浄モードでは、ホースを乾燥させる運転を行わずに水分が付与された空気を送り始めるように或いは、第１乾燥動作よりも運転時間が短い第２乾燥動作によって水分が付与された空気を送り始める前にホースを乾燥させるように、加湿器を制御する。
【０００６】
第１観点の空調システムは、ホースを乾燥させる運転を行わずに水分が付与された空気を送り始める場合には、第１乾燥動作の運転時間の分だけ、時間を短縮して洗浄動作を早く始めることができる。また、空調システムは、第２乾燥動作によって水分が付与された空気を送り始める前にホースを乾燥させる場合は、第１乾燥動作よりも第２乾燥動作の運転時間が短い分だけ、時間を短縮して洗浄動作を早く始めることができる。
【０００７】
第２観点の空調システムは、第１観点の空調システムであって、制御部は、洗浄モードでは、室内熱交換器の洗浄動作を行った後に、ホースを乾燥させる第３乾燥動作を行うように加湿器を制御する。
【０００８】
第２観点の空調システムは、洗浄動作後に第３乾燥動作でホースを乾燥させることにより、洗浄動作後のホースの状態を良好に保つことができる。
【０００９】
第３観点の空調システムは、第２観点の空調システムであって、加湿器は、ヒータを有し、制御部は、第３乾燥動作では、空気に水分を付与する機能を停止してヒータで加熱された空気をホースの中を通すように加湿器を制御する。
【００１０】
第３観点の空調システムは、加湿器のヒータによりホースの中を乾燥させることができ、機器の増設を抑制することができる。
【００１１】
第４観点の空調システムは、第１観点から第３観点のいずれかの空調システムであって、加湿器は、外気の水分を吸着する吸着部材を有し、ホースで室内に送る空気に、吸着部材で外気から吸着した水分を付与する。
【００１２】
第４観点の空調システムは、洗浄モードにおいて、吸着部材により水分供給作業を省け、洗浄時の手間を省くことができる。
【００１３】
第５観点の空調システムは、第１観点から第４観点のいずれかの空調システムであって、制御部は、洗浄モードで、加湿を行うように加湿器を制御した後に、室内熱交換器の表面で結露水を生じさせて表面を結露水で洗浄する洗浄動作を行うように空調室内機を制御する。
【００１４】
第５観点の空調システムは、気象条件などによって室内が乾燥して室内熱交換器の洗浄に不向きな状況が生じた場合でも、空調システムは、洗浄モードの加湿で室内の湿度を上げて十分な結露水で洗浄動作を行うことができる。
【図面の簡単な説明】
【００１５】
【図１】実施形態に係る空調システムの構成の一例を示す概念図。
【図２】空調システムの空調室内機の構成の一例を示す断面図。
【図３】図１の空調システムが有する冷媒回路と空気流路とを説明するための図。
【図４】図１の空調室外機と加湿器の構成例を示す分解斜視図。
【図５】図１の空調システムの構成を説明するためのブロック図。
【図６】第１除湿運転、第２除湿運転及び第３除湿運転における各機器の動作を説明するための図。
【図７】空調システムの動作を説明するためのフローチャート。
【図８】通常モードの加湿運転と洗浄モードの運転を比較するためのタイミングチャート。
【図９】洗浄モードに自動的に移行する際の制御部の動作例を示すフローチャート。
【図１０】通常モードの加湿運転と変形例の洗浄モードの運転を比較するためのタイミングチャート。
【図１１】空調システムの動作の他の例を説明するためのフローチャート。
【発明を実施するための形態】
【００１６】
（１）空調システム１の構成の概要
図１に示されているように、実施形態に係る空調システム１は、空調室内機２と加湿器６とを備えている。空調システム１は、図３及び図５に示されているように、空調室内機２を制御する制御部８を備えている。空調室内機２は、部屋ＲＭに対して設置され（図１参照）、部屋ＲＭの中（室内）の空気調和を行う。実施形態では、空調室内機２が部屋ＲＭの壁ＷＬに取り付けられて設置される場合について説明する。しかし、空調室内機２のタイプは、部屋ＲＭの壁ＷＬに設置されるタイプに限られるものではない。空調室内機２は、例えば、天井ＣＥまたは床ＦＬに設置されるものであってもよい。
【００１７】
空調室内機２は、図２に示されているように、室内熱交換器２１を有している。空調室内機２は、室内熱交換器２１に室内空気（部屋ＲＭの中の空気）を通して室内空気の熱交換を行う。室内熱交換器２１は、複数の伝熱フィン２１ａと複数の伝熱管２１ｂとを有している。室内空気は、複数の伝熱フィン２１ａの間を通過する。また、熱交換の際には、複数の伝熱フィン２１ａの間を空気が通過すると同時に、伝熱管２１ｂの中を冷媒が流れる。伝熱管２１ｂは、複数折り返されていて１つの伝熱フィン２１ａを複数回貫通する。
【００１８】
空調システム１は、空調室内機２の他に、図１及び図３に示されている加湿器６を備えている。加湿器６は、室内に連通している吸排気ホース６８を有している。加湿器６は、部屋ＲＭの中（室内）に吸排気ホース６８で水分を供給して、室内の湿度を上げる加湿を行う。
【００１９】
空調システム１は、図３及び図５に示されているように、空調室内機２と加湿器６とを制御する制御部８を備えている。空調システム１は、運転モードとして、通常モードと洗浄モードを有している。制御部８は、通常モードでは、室内の空気調和を行うように空調室内機２を制御する。制御部８は、通常モードでは、水分が付与された空気を送り始める前に吸排気ホース６８を乾燥させる第１乾燥動作（図８参照）を行うように加湿器６を制御する。
【００２０】
制御部８は、洗浄モードでは、加湿の後で室内熱交換器２１の洗浄を行うように空調室内機２を制御する。また、洗浄モードでは、室内熱交換器２１の洗浄のために、加湿器６を制御する。制御部８は、洗浄モードでは、吸排気ホース６８を乾燥させる運転を行わずに水分が付与された空気を送り始めるように、加湿器６を制御する。或いは、制御部８は、洗浄モードでは、第１乾燥動作よりも運転時間が短い第２乾燥動作（図１０参照）によって水分が付与された空気を送り始める前に吸排気ホース６８を乾燥させるように、加湿器６を制御する。
【００２１】
制御部８は、例えば、マイクロコンピュータにより実現されるものである。制御部８は、例えば、制御演算装置８１ｂと記憶装置８１ｃとを備える。制御演算装置８１ｂには、ＣＰＵまたはＧＰＵといったプロセッサを使用できる。制御演算装置８１ｂは、記憶装置８１ｃに記憶されているプログラムを読み出し、このプログラムに従って、例えば所定のシーケンス処理及び演算処理を行う。さらに、制御演算装置８１ｂは、プログラムに従って、演算結果を記憶装置８１ｃに書き込んだり、記憶装置８１ｃに記憶されている情報を読み出したりすることができる。記憶装置８１ｃは、データベースとして用いることができる。
【００２２】
空調システム１では、吸排気ホース６８を乾燥させる運転を行わずに水分が付与された空気を送り始める場合或いは第２乾燥動作によって水分が付与された空気を送り始める前に吸排気ホース６８を乾燥させる場合は、時間を短縮して洗浄動作を早く始めることができる。
【００２３】
（２）詳細構成
（２−１）全体構成
空調室内機２は、空調システム１の空気調和機１０が有している。空気調和機１０は、空調室内機２の他に、図１及び図２に示されている空調室外機４とリモートコントローラ１５とを有している。空調室内機２と空調室外機４とは、冷媒連絡管１１，１２で接続されている。空調室内機２と空調室外機４と冷媒連絡管１１，１２とは冷媒回路１３を構成している。空調室内機２と空調室外機４は、制御部８により制御される。冷媒回路１３では、例えば、冷房運転、暖房運転及び除湿運転の際に、蒸気圧縮式冷凍サイクルが繰り返される。
【００２４】
（２−２）詳細構成
（２−２−１）空調室内機２
図２、図３及び図５に示されているように、空調室内機２は、室内熱交換器２１と、室内ファン２２と、ケーシング２３と、エアフィルタ２４と、ドレンパン２６と、水平フラップ２７と、垂直フラップ（図示せず）と、放電ユニット２９とを備えている。また、空調室内機２は、室内温度センサ３１と、室内湿度センサ３２と、ダクト用温度センサ３３と、ダクト用湿度センサ３４と、室内熱交換器温度センサ３５とを備えている。
【００２５】
以下の説明では、図１及び図２に矢印で示されている向きに従って、「上」、「下」、「前」、「後」という表現を用いて、方向を説明する場合がある。
【００２６】
ケーシング２３は、上部に、吸込口２３ａを有し、下部に、吹出口２３ｂを有している。空調室内機２は、室内ファン２２を駆動して、室内の空気を吸込口２３ａから吸込み、室内熱交換器２１を通過した空気を吹出口２３ｂから吹き出す。
【００２７】
室内ファン２２は、空調室内機２の断面視において（図２参照）、ケーシング２３の中の略中央部分に配置されている。室内ファン２２は、例えば、クロスフローファンである。吸込口２３ａから吹出口２３ｂに向う空気流路において、室内ファン２２の上流に室内熱交換器２１が配置されている。室内熱交換器２１は、伝熱管２１ｂの延びる方向に見て、室内ファン２２の上方を覆うように、下に向って開いた形状を呈する。ここでは、このような形状を略Λ形状と呼ぶ。室内熱交換器２１は、壁ＷＬから遠い第１熱交換部２１Ｆと壁ＷＬに近い第２熱交換部２１Ｒを有している。
【００２８】
略Λ形状を持つ室内熱交換器２１の前方下部及び後方下部の下に、ドレンパン２６が配置されている。室内熱交換器２１のうちの第１熱交換部２１Ｆで発生した結露は、室内熱交換器２１の前方下部に配置されているドレンパン２６で受け止められる。室内熱交換器２１のうちの第２熱交換部２１Ｒで発生した結露は、室内熱交換器２１の後方下部に配置されているドレンパン２６で受け止められる。
【００２９】
吹出口２３ｂには、水平フラップ２７及び垂直フラップが配置されている。水平フラップ２７は、吹出口２３ｂから吹出される空気の風向を上下に変更する。そのため、水平フラップ２７は、モータ２７ｍにより、水平方向とのなす角を変更することができるように構成されている。垂直フラップは、吹出口２３ｂから吹出される空気の風向を左右に変更することができるように構成されている。空調システム１は、例えば、垂直フラップをモータ（図示せず）で前後方向とのなす角を変更するように駆動する。
【００３０】
ケーシング２３の中の吸込口２３ａの下流且つ室内熱交換器２１の上流には、エアフィルタ２４が配置されている。室内熱交換器２１に供給される室内空気が実質的に全てエアフィルタ２４を通過するように、エアフィルタ２４は、ケーシング２３に設置されている。従って、エアフィルタ２４の網目よりも大きな塵埃は、エアフィルタ２４で除去されるので室内熱交換器２１には到達しない。しかし、エアフィルタ２４の網目よりも細かい塵埃及びオイルミストなど、エアフィルタ２４を通過するものは室内熱交換器２１に到達する。
【００３１】
放電ユニット２９は、内部に放電部を有して構成された活性種生成装置である。放電部は、例えば、針状電極と対向電極とを備え、高電圧を印加することによりプラズマ放電の一種であるストリーマ放電を発生させる。酸化分解力の高い活性種は、放電発生の際に生成される。これらの活性種には、例えば、高速電子、イオン、水酸化ラジカル及び励起酸素分子が含まれる。活性種は、例えば、アンモニア類、アルデヒド類、窒素酸化物等の小さな有機分子からなる空気中の有害成分及び臭気成分を分解する。放電ユニット２９は、例えば、エアフィルタ２４の上流、または室内熱交換器２１の上流に配置される。
【００３２】
空調室内機２の中には、制御部８を構成している室内制御板８１が配置されている。図５に示されているように、室内制御板８１は、室内ファン２２のモータ２２ｍ、水平フラップ２７のモータ２７ｍ及び電磁弁２８に接続されている。制御部８は、室内制御板８１により、室内ファン２２のモータ２２ｍの回転数、水平フラップのモータ２７ｍの回転角度及び電磁弁２８のオンオフを制御することができる。室内制御板８１は、タイマ８１ａと制御演算装置８１ｂと記憶装置８１ｃとを有している。室内制御板８１は、空調室外機４の中に配置されている室外制御板８２（図３及び図５参照）に接続されている。ここでは、タイマ８１ａと制御演算装置８１ｂと記憶装置８１ｃとを室内制御板８１が有している場合について説明するが、タイマ８１ａと制御演算装置８１ｂと記憶装置８１ｃとは、制御部８の他の箇所に設けられてもよい。例えば、タイマ８１ａと制御演算装置８１ｂと記憶装置８１ｃとは、室外制御板８２に設けられてもよい。
【００３３】
制御部８は、リモートコントローラ１５からの信号を室内制御板８１が受信して、リモートコントローラ１５から入力される指示を受け取る。リモートコントローラ１５は、表示画面１５ａを有している。制御部８は、リモートコントローラ１５の表示画面１５ａに種々の情報を表示することができる。制御部８は、例えば、表示画面１５ａを使って、洗浄動作ができないことを報知することができる。
【００３４】
図３及び図５には、空調室内機２が備えるセンサのうち、室内温度センサ３１と、室内湿度センサ３２と、ダクト用温度センサ３３と、ダクト用湿度センサ３４と、室内熱交換器温度センサ３５が示されている。空調室内機２が備えるこれらのセンサは、室内制御板８１に接続されている。従って、制御部８は、室内温度センサ３１により室内の空気の温度を検知することができ、室内湿度センサ３２により室内の空気の相対湿度を検知することができる。制御部８は、ダクト用温度センサ３３により加湿器６から空調室内機２に吹出される空気の温度を検知でき、ダクト用湿度センサ３４により加湿器６から空調室内機２に吹出される空気の相対湿度を検知できる。また、制御部８は、室内熱交換器温度センサ３５により室内熱交換器２１の特定の場所を流れる冷媒の温度を検知できる。この特定の場所は、例えば室内熱交換器温度センサ３５が取り付けられている伝熱管２１ｂの箇所である。
【００３５】
図３に示されているように、室内熱交換器２１は、電磁弁２８を有している。室外膨張弁４５から室内熱交換器２１の他方の出入口に流れ込む冷媒は、第１熱交換部２１Ｆから電磁弁２８を通って第２熱交換部２１Ｒに流れる。逆に、四方弁４２の第４ポートＰ４から室内熱交換器２１の一方の出入口に流れ込む冷媒は、第２熱交換部２１Ｒから電磁弁２８を通って第１熱交換部２１Ｆに流れる。電磁弁２８は、第１熱交換部２１Ｆと第２熱交換部２１Ｒとの間に差圧を設定する弁である。ここでは、電磁弁２８を用いる場合について説明するが、例えば弁開度を変更できる電動弁などの他の制御弁を用いてもよい。電磁弁２８は、オフ状態のときよりもオン状態のときに開度が小さくなるように設定されている。言い換えると、電磁弁２８は、オン状態のときに、第１熱交換部２１Ｆと第２熱交換部２１Ｒとの間の差圧を大きくする。
【００３６】
（２−２−２）空調室外機４
空調室外機４は、図３及び図５に示されているように、圧縮機４１と四方弁４２とアキュムレータ４３と室外熱交換器４４と室外膨張弁４５と室外ファン４６とケーシング４７とを備えている。圧縮機４１と四方弁４２とアキュムレータ４３と室外熱交換器４４と室外膨張弁４５と室外ファン４６とは、ケーシング４７の中に収納されている。ケーシング４７は、室外の空気を吸い込む吸込口４７ａ（図３参照）と、熱交換後の空気を吹き出す吹出口４７ｂ（図１及び図３参照）とを有する。吸込口４７ａは、ケーシング４７の後側に配置されている。空調室外機４は、空調室内機２に熱エネルギーを供給する熱源ユニットとして機能する。
【００３７】
圧縮機４１は、ガス冷媒を吸入して圧縮して吐出する。圧縮機４１は、例えば、モータ４１ｍの運転周波数をインバータにより調整することで運転容量を変更することができる可変容量圧縮機である。運転周波数が大きいほど圧縮機４１の運転容量が大きくなる。四方弁４２は、４つのポートを有している。四方弁４２の第１ポートＰ１は、圧縮機４１の吐出口に接続されている。四方弁４２の第２ポートＰ２は、室外熱交換器４４の一方の出入口に接続されている。四方弁４２の第３ポートＰ３は、アキュムレータ４３に接続されている。四方弁４２の第４ポートＰ４は、室内熱交換器２１の一方の出入口に接続されている。
【００３８】
アキュムレータ４３は、四方弁４２の第３ポートＰ３と圧縮機４１の吸入口との間に接続されている。室外熱交換器４４は、他方の出入口を室外膨張弁４５の一方の出入口に接続している。室外熱交換器４４は、一方の出入口または他方の出入口から内部に流入した冷媒と、室外の空気との間で熱交換を行う。室外膨張弁４５は、他方の出入口を室内熱交換器２１の他方の出入口に接続している。
【００３９】
空調室外機４の中には、制御部８を構成している室外制御板８２が配置されている。室外制御板８２は、室内制御板８１に接続されている。室外制御板８２は、圧縮機４１のモータ４１ｍ、四方弁４２及び室外ファン４６のモータ４６ｍに接続されている。制御部８は、室外制御板８２により、圧縮機４１のモータ４１ｍの運転周波数、四方弁４２の開度及び室外ファン４６のモータ４６ｍの回転数を制御することができる。
【００４０】
図３及び図５には、空調室外機４が備えるセンサのうち、外気温度センサ５１と、吐出管温度センサ５２と、室外熱交換器温度センサ５３とが示されている。空調室外機４が備えるこれらのセンサは、室外制御板８２に接続されている。従って、制御部８は、外気温度センサ５１により室外の空気の温度を検知することができる。また、制御部８は、吐出管温度センサ５２により吐出管（圧縮機４１の吐出口に接続された冷媒配管）を流れる冷媒の温度を検知でき、室外熱交換器温度センサ５３により室外熱交換器４４の特定の場所を流れる冷媒の温度を検知できる。制御部８は、冷凍サイクルの制御を行う際に、吐出管温度センサ５２、室外熱交換器温度センサ５３及び室内熱交換器温度センサ３５などにより冷媒回路１３の冷媒の状態を監視する。
【００４１】
冷媒回路１３には、圧縮機４１と、四方弁４２と、アキュムレータ４３と、室外熱交換器４４と、室外膨張弁４５と、室内熱交換器２１とが含まれている。冷媒回路１３には、冷媒が循環している。冷媒としては、例えば、Ｒ３２冷媒及びＲ４１０冷媒などのフロン類、並びに二酸化炭素などがある。
【００４２】
蒸気圧縮式冷凍サイクルでは、冷媒が圧縮機４１で圧縮されて昇温され、その後、室外熱交換器４４または室内熱交換器２１で冷媒が放熱する。また、蒸気圧縮式冷凍サイクルでは、室外膨張弁４５で冷媒が減圧膨張され、その後、室内熱交換器２１または室外熱交換器４４で冷媒が吸熱する。アキュムレータ４３では、圧縮機４１に吸入される冷媒の気液分離が行われる。四方弁４２は、冷媒回路１３における冷媒の流れの向きを切り換える。
【００４３】
（２−２−３）加湿器６
実施形態の加湿器６は、空調室外機４と一体化されている。加湿器６は、室外の空気から水分を取り入れる。加湿器６は、取り入れた水分を室外の空気に付与することで高湿度の空気を生成する。加湿器６は、この高湿度の空気を空調室内機２に送る。空調システム１は、加湿時に、空調室内機２において、加湿器６から送られてきた高湿度の空気と室内の空気とを混合する。空調室内機２は、高湿度の空気が混合された空気を部屋ＲＭの中（室内）に吹き出すことで、室内を加湿する。加湿器６は、制御部８により制御される。
【００４４】
加湿器６は、図４に示されているように、吸着ロータ６１と、ヒータ６２と、切換ダンパ６３と、吸排気ファン６４と、吸着ファン６５と、ダクト６６と、ケーシング６９とを備えている。また、加湿器６は、吸排気ホース６８を備えている。図１及び図４に示されているように、加湿器６のケーシング６９は、空調室外機４のケーシング４７に取り付けられて一体化されている。加湿器６は、ケーシング６９に、吸着用空気吹出口６９ａと吸着用空気取入口６９ｂと加湿用空気取入口６９ｃとを有している。
【００４５】
吸着ロータ６１は、例えば、ハニカム構造を持つ円盤状のセラミックロータである。セラミックロータは、例えば、吸着剤を焼成することにより形成できる。吸着剤は、接触する空気中の水分を吸着する性質を有している。また、吸着剤は、加熱されることによって吸着した水分を脱離するという性質を有している。このような吸着剤には、例えば、ゼオライト、シリカゲル及びアルミナがある。吸着ロータ６１は、モータ６１ｍにより駆動されて、回転する。吸着ロータ６１の回転数は、モータ６１ｍの回転数を変えることにより変更することができる。
【００４６】
ヒータ６２は、加湿用空気取入口６９ｃと切換ダンパ６３との間に配置されている。加湿用空気取入口６９ｃから取り入れられた室外の空気は、ヒータ６２を通過した後、さらに吸着ロータ６１を通過して切換ダンパ６３に到達する。ヒータ６２で加熱された空気が吸着ロータ６１を通過する際に、吸着ロータ６１から水分が脱離して、吸着ロータ６１から加熱された空気に水分が供給される。ヒータ６２は、出力を変化させることができ、ヒータ６２を通過した空気の温度を出力に応じて変化させることができる。吸着ロータ６１は、特定の温度範囲内では、吸着ロータ６１を通過する空気の温度が高いほど脱離する水分量が多くなる傾向がある。
【００４７】
切換ダンパ６３は、第１出入口６３ａと第２出入口６３ｂとを持っている。切換ダンパ６３は、吸排気ファン６４が駆動しているときに空気を吸い込む空気の入口を、第１出入口６３ａとするか又は第２出入口６３ｂとするかを切り換えることができる。空気の入口を第１出入口６３ａとする場合には、図３に実線で示された矢印の向きに、室外の空気が、加湿用空気取入口６９ｃから、吸着ロータ６１、ヒータ６２、吸着ロータ６１、第１出入口６３ａ、吸排気ファン６４、第２出入口６３ｂ、ダクト６６、吸排気ホース６８、空調室内機２の順に流れる。空気の入口を第２出入口６３ｂとするように切り換えると、逆に、図３に破線で示された矢印の向きに、空調室内機２から、吸排気ホース６８、ダクト６６、第２出入口６３ｂ、吸排気ファン６４、第１出入口６３ａ、吸着ロータ６１、ヒータ６２、吸着ロータ６１、加湿用空気取入口６９ｃの順に空気が流れる。切換ダンパ６３の切り換えは、モータ６３ｍにより行われる。
【００４８】
吸排気ファン６４は、切換ダンパ６３の第１出入口６３ａと第２出入口６３ｂとの間に配置されている。吸排気ファン６４は、第１出入口６３ａから第２出入口６３ｂまたは第２出入口６３ｂから第１出入口６３ａに向う空気の流れを発生させる。吸排気ファン６４は、モータ６４ｍにより駆動される。
【００４９】
吸排気ホース６８は、一方端をダクト６６に接続し、他方端を空調室内機２に接続している。このような構成により、吸排気ホース６８と部屋ＲＭとは空調室内機２を介して連通している。
【００５０】
吸着ファン６５は、吸着用空気取入口６９ｂから吸着用空気吹出口６９ａに続く通路に配置されている。この通路には、吸着ロータ６１が掛かるように吸着ロータ６１が配置されている。吸着ファン６５により吸着用空気取入口６９ｂから吸着用空気吹出口６９ａに向う気流が発生すると、吸着ロータ６１を通過する室外の空気から吸着ロータ６１への水分の吸着が生じる。吸着ファン６５は、モータ６５ｍにより駆動される。
【００５１】
吸着ロータ６１のモータ６１ｍ、切換ダンパ６３のモータ６３ｍ、吸排気ファン６４のモータ６４ｍ及びヒータ６２は、室外制御板８２に接続されている。制御部８は、室外制御板８２により、吸着ロータ６１の回転数、切換ダンパ６３の切り換え、吸排気ファン６４及び吸着ファン６５のオンオフ、及びヒータ６２の出力を制御することができる。図３及び図５には、空調室内機２が備えるセンサのうち、外気湿度センサ７１が示されている。外気湿度センサ７１は、室外制御板８２に接続されている。制御部８は、外気湿度センサ７１により室外の空気の相対湿度を検知することができる。
【００５２】
（２−３）空調システム１の動作
（２−３−１）通常モードの運転
空調システム１の通常モードの運転には、例えば、冷房運転、暖房運転、除湿運転、加湿運転、送風運転、換気運転及び空気清浄運転がある。ここでは、通常モードの運転が、洗浄モードの運転以外の運転である。通常モードの運転は、上述の冷房運転及び暖房運転などに限られるものではない。また、上述の通常モードでは、暖房運転と加湿運転が組み合わされるなど、複数の運転が組み合わされることがある。
【００５３】
（２−３−１−１）冷房運転
冷房運転の開始前に、制御部８には、例えば、リモートコントローラ１５から冷房運転が指示されるとともに目標温度が指示される。冷房運転時には、制御部８は、四方弁４２を、図３において実線で示されている状態に切り換える。冷房運転時には、四方弁４２は、第１ポートＰ１と第２ポートＰ２の間で冷媒を流し、第３ポートＰ３と第４ポートＰ４の間で冷媒を流す。冷房運転時の四方弁４２は、圧縮機４１から吐出される高温高圧のガス冷媒を室外熱交換器４４に流す。室外熱交換器４４では、冷媒と、室外ファン４６により供給される室外の空気との間で熱交換が行われる。室外熱交換器４４で冷やされた冷媒は、室外膨張弁４５で減圧されて室内熱交換器２１に流れ込む。室内熱交換器２１では、冷媒と室内ファン２２により供給される室内の空気との間で熱交換が行われる。室内熱交換器２１での熱交換により温められた冷媒は、四方弁４２及びアキュムレータ４３を経由して、圧縮機４１に吸入される。室内熱交換器２１で冷やされた室内の空気が空調室内機２から部屋ＲＭに吹出されることで、室内の冷房が行われる。この空気調和機１０では、冷房運転において、室内熱交換器２１が冷媒の蒸発器として機能して部屋ＲＭの中の室内空気を温め、室外熱交換器４４が冷媒の放熱器として機能する。
【００５４】
（２−３−１−２）暖房運転
暖房運転の開始前に、制御部８には、例えば、リモートコントローラ１５から暖房運転が指示されるとともに目標温度が指示される。暖房運転時には、制御部８は、四方弁４２を、図３において破線で示されている状態に切り換える。暖房運転時に、四方弁４２は、第１ポートＰ１と第４ポートＰ４の間で冷媒を流し、第２ポートＰ２と第３ポートＰ３の間で冷媒を流す。暖房運転時の四方弁４２は、圧縮機４１から吐出される高温高圧のガス冷媒を室内熱交換器２１に流す。室内熱交換器２１では、冷媒と、室内ファン２２により供給される室内の空気との間で熱交換が行われる。室内熱交換器２１で冷やされた冷媒は、室外膨張弁４５で減圧されて室外熱交換器４４に流れ込む。室外熱交換器４４では、冷媒と室外ファン４６により供給される室内の空気との間で熱交換が行われる。室外熱交換器４４での熱交換により温められた冷媒は、四方弁４２及びアキュムレータ４３を経由して、圧縮機４１に吸入される。室内熱交換器２１で温められた室内の空気が空調室内機２から部屋ＲＭに吹出されることで、室内の暖房が行われる。この空気調和機１０では、暖房運転においては、室内熱交換器２１が冷媒の放熱器として機能して部屋ＲＭの中の室内空気を温め、室外熱交換器４４が冷媒の蒸発器として機能する。
【００５５】
（２−３−１−３）除湿運転
除湿運転の開始前に、制御部８には、例えば、リモートコントローラ１５から除湿運転が指示される。ここでは、除湿運転において複数のモードを選択できる場合について説明する。制御部８には、リモートコントローラ１５から、第１除湿モードと第２除湿モードと第３除湿モードの中のどのモードを選択したかの情報が送信される。第１除湿モードでは、室内熱交換器２１の実質的に全部を蒸発域にする第１除湿運転が行われる。第２除湿モードでは、室内熱交換器２１の一部を蒸発域にする一方、室内熱交換器２１の残りの部分を過熱域にする第２除湿運転が行われる。第３除湿モードでは、室内熱交換器２１において電磁弁２８よりも上流側の部分を凝縮域とする一方、電磁弁２８よりも下流側の部分を蒸発域とする第３除湿運転が行われる。
【００５６】
除湿運転時には、制御部８は、四方弁４２を、図３において実線で示されている状態に切り換える。除湿運転時には、四方弁４２は、第１ポートＰ１と第２ポートＰ２の間で冷媒を流し、第３ポートＰ３と第４ポートＰ４の間で冷媒を流す。そのため、冷媒回路１３において、除湿運転時と冷房運転時とで、冷媒の流れる向きは同じになる。除湿運転の冷媒回路１３においても冷凍サイクルが実施される。
【００５７】
（第１除湿運転）
第１除湿運転では、冷媒が冷媒回路１３を循環するとき、制御部８は、電磁弁２８をオフし、圧縮機４１の運転周波数と室外膨張弁４５の開度とを調整する。第１除湿運転では、室内熱交換器２１の実質的に全部を蒸発域とする。これにより、第１除湿運転は、室内温度を変化させるための能力である顕熱能力が高くなる。
【００５８】
ここで、室内熱交換器２１の実質的に全部を蒸発域にするとは、室内熱交換器２１の全部を蒸発域にするときだけでなく、室内熱交換器２１において一部を除いた部分だけを蒸発域にするときも含む。この一部(例えば、室内熱交換器２１の全容積の１／３以下の部分)だけが蒸発域とならないときとしては、例えば、室内環境などによって、室内熱交換器２１の冷媒出口近傍の部分が過熱域となるときなどがある。
【００５９】
（第２除湿運転）
第２除湿運転では、冷媒が冷媒回路１３を循環するとき、制御部８は、電磁弁２８をオフし、圧縮機４１の運転周波数と室外膨張弁４５の開度とを調整する。第２除湿運転では、第１熱交換部２１Ｆの一部を蒸発域にする一方、第１熱交換部２１Ｆの残りの部分及び第２熱交換部２１Ｒを過熱域にする。制御部８は、第２除湿運転中、蒸発域が所定容積(例えば、室内熱交換器２１の全容積の２／３)以下となるように、圧縮機４１および室外膨張弁４５を制御する。第２除湿運転の蒸発温度は、第１除湿運転の蒸発温度よりも低くなるように行われる。このとき、室外膨張弁４５の開度は、通常、第１除湿運転中の室外膨張弁４５の開度よりも小さくなる。第２除湿運転は、第１除湿運転によりも顕熱能力が低くなるので、室内の熱負荷が高くも低くもないとき、室温の低下を抑制しつつ、室内の除湿を行える。
【００６０】
（第３除湿運転）
第３除湿運転では、冷媒が冷媒回路１３を循環するとき、制御部８は、電磁弁２８をオンし、圧縮機４１の運転周波数と室外膨張弁４５の開度とを調整する。第３除湿運転では、電磁弁２８をオンすることで、第１除湿運転及び第２除湿運転に比べて弁開度が小さくなる。第３除湿運転では、第１熱交換部２１Ｆを凝縮域にする一方、第２熱交換部２１Ｒを蒸発域にする。制御部８は、第３除湿運転の蒸発温度が第２除湿運転の蒸発温度よりも低くなるように行われる。このとき、室外膨張弁４５の開度は、第２除湿運転中における室外膨張弁４５の最大開度よりも大きい開度に固定される。第３除湿運転は、第２除湿運転よりも顕熱能力が低くなるので、室内の熱負荷が低いとき、室温の低下を抑制しつつ、室内の除湿を行える。
【００６１】
（除湿運転の運転条件の例）
図６には、第１除湿運転、第２除湿運転および第３除湿運転の運転条件の例が示されている。制御部８は、第３除湿運転時における室外ファン４６の回転数の制御範囲が、第２除湿運転時における室外ファン４６の回転数の制御範囲よりも広くなるように、室外ファン４６を制御する。第３除湿運転時における室外ファン４６の回転数の上限値は、第２除湿運転時における室外ファン４６の回転数の上限値よりも高い。これにより、第２除湿運転時における冷媒の蒸発温度よりも、第３除湿運転時における冷媒の蒸発温度を下げることができる。したがって、第３除湿運転で室内を除湿するとき、除湿効率を上げることができる。第２除湿運転時における室外ファン４６の回転数の上限値は例えば８４０ｒｐｍに設定される。第３除湿運転時における室外ファン４６の回転数の上限値は例えば９７０ｒｐｍに設定される。
【００６２】
また、第３除湿運転時における室外ファン４６の回転数の下限値は、第２除湿運転時における室外ファン４６の回転数の下限値よりも低い。これにより、第３除湿運転時、室外熱交換器４４と室内熱交換器２１との間における冷媒の圧力が過度に低下するのを抑制することができる。したがって、第３除湿運転で室内を除湿するとき、チョーク現象の発生を抑制することができる。第２除湿運転時における室外ファン４６の回転数の下限値は例えば５１０ｒｐｍに設定される。第３除湿運転時における室外ファン４６の回転数の下限値は例えば１５０ｒｐｍに設定される。
【００６３】
室外膨張弁４５の開度は、パルス信号によって調整される。このパルス信号のパルス数（ｐｌｓ）は、室外膨張弁４５の開度と比例する。パルス数が増えるにつれて、室外膨張弁４５の開度は大きくなる。
【００６４】
（２−３−１−４）加湿運転
加湿運転の開始前に、制御部８には、例えば、リモートコントローラ１５から加湿運転が指示されるとともに目標湿度が指示される。加湿運転時には、制御部８が、圧縮機４１を停止させ、冷媒回路１３における冷凍サイクルを停止させる。ただし、加湿暖房運転では、冷媒回路１３における冷凍サイクルも加湿運転と同時に実施される。
【００６５】
制御部８は、加湿運転の指示を受けると、まず、吸排気ホース６８を乾燥させるための第１乾燥動作を行うように加湿器６を制御する。第１乾燥動作では、制御部８は、吸着ファン６５及び吸着ロータ６１を停止させる。第１乾燥動作では、制御部８は、ヒータ６２に空気を加熱させ、第１出入口６３ａから第２出入口６３ｂに向う気流が生じるように切換ダンパ６３を切り換え、吸排気ファン６４を駆動する。加湿用空気取入口６９ｃから取り入れられた室外の空気は、ヒータ６２で加熱されて温度が上昇することで相対湿度が低下する。吸着ロータ６１が停止しているので、吸着ロータ６１を通過する空気への水分の供給が生じない。このように乾燥された空気が吸排気ファン６４によって吸排気ホース６８を通過することで、吸排気ホース６８の乾燥が行われる。制御部８は、例えば、タイマ８１ａで運転時間をカウントし、運転時間が所定時間に達すれば、第１乾燥動作を終了する。
【００６６】
第１乾燥動作の終了後に加湿動作が開始される。第１乾燥動作が終了すると、制御部８は、吸着ファン６５を駆動させ且つ吸着ロータ６１を回転させるように制御する。吸着ファン６５の駆動によって吸着ロータ６１を室外の空気が通過することで、吸着ロータ６１には、室外の空気から水分が吸着する。水分が吸着した箇所は、吸着ロータ６１の回転によって、ヒータ６２によって加熱された空気が通過する場所に移動する。その結果、水分が吸着した箇所から加熱された空気へと水分の脱離が生じる。このようにして高湿度になった空気が、吸排気ファン６４により、吸排気ホース６８及び空調室内機２を通して部屋ＲＭに送られる。制御部８は、高湿度の空気を部屋ＲＭの中に吹出させるために、空調室内機２の室内ファン２２を駆動させる。
【００６７】
（２−３−１−５）送風運転
送風運転の開始前に、制御部８には、例えば、リモートコントローラ１５から送風運転が指示される。送風運転時には、制御部８が、圧縮機４１を停止させ、冷媒回路１３における冷凍サイクルを停止させる。送風運転では、リモートコントローラ１５から目標風量が指示される場合と、空調室内機２に目標風量を自動で選択させる場合がある。制御部８は、目標風量になるように、室内ファン２２のモータ２２ｍを制御する。例えば、通常モードでは、制御部８は、最も回転数の小さいＬＬタップから、Ｌタップ、Ｍタップ、Ｈタップの順に回転数を大きくすることができるように構成されている。
【００６８】
（２−３−１−６）換気運転
換気運転の開始前に、制御部８には、例えば、リモートコントローラ１５から換気運転が指示される。換気運転時には、制御部８が、圧縮機４１を停止させ、冷媒回路１３における冷凍サイクルを停止させる。また、換気運転時には、加湿運転も停止される。加湿運転を停止するため、吸着ファン６５及び吸着ロータ６１の回転が停止される。換気運転では、制御部８は、吸排気ファン６４を駆動するようにモータ６４ｍを制御する。また、換気運転では、制御部８は、切換ダンパ６３を制御することにより、給気状態と排気状態とを切り換える。給気状態においては、室外の空気が、加湿用空気取入口６９ｃから取り入れられ、吸排気ホース６８及び空調室内機２を通して部屋ＲＭに吹出される。排気状態においては、室内の空気が、部屋ＲＭから空調室内機２及び吸排気ホース６８を通して加湿用空気取入口６９ｃから排気される。
【００６９】
（２−３−１−７）空気清浄運転
実施形態の空調システム１は、放電ユニット２９を用いて空気清浄運転を行う。ここで、空気清浄運転とは、空気中の有害成分及び／または臭気成分を抑制する運転である。空気清浄運転は、例えば、ストリーマ放電の分解力で有害成分及び／または臭気成分を抑える運転である。
【００７０】
（２−３−２）洗浄モードの運転
洗浄モードの運転を図７のフローチャートに沿って説明する。洗浄モードが開始される場合には、制御部８が洗浄モードの運転を開始するように指示される場合（手動開始の場合）と、制御部８が洗浄モードの運転の開始を自動的に判断する場合（自動開始の場合）がある。実施形態の空調システム１は、手動開始の場合と自動開始の場合の両方に対応する。しかし、空調システム１を、手動開始の場合と自動開始の場合のうちのいずれか一方に対応するように構成することもできる。
【００７１】
制御部８が洗浄モードを指示されると（ステップＳＴ１のＹｅｓ）、洗浄モードの運転を開始する。手動開始の場合として、例えば、リモートコントローラ１５の洗浄モードを指示するための洗浄モード開始ボタンが押される場合がある。また、洗浄モードの指示が無くても（ステップＳＴ１のＮｏ）、制御部８が洗浄モードの運転を開始する条件が満たされたと判断すれば（ステップＳＴ２のＹｅｓ）、洗浄モードの運転を開始する。ステップＳＴ２の洗浄モードへの移行条件については後述する。
【００７２】
制御部８は、洗浄モードの運転を開始すると、水平フラップ２７を開いて所定の角度に固定するように、モータ２７ｍを制御する（ステップＳＴ３）。水平フラップ２７の角度は、部屋ＲＭに人が居たとしても、人に直接空調室内機２から吹出される空気が当たらない角度が好ましい。また、制御部８は、洗浄モードの運転を開始すると、ストリーマ放電を開始するように放電ユニット２９を制御する（ステップＳＴ３）。なお、ステップＳＴ３の処理について、既に水平フラップ２７が開放されている場合にはそれを維持する。また、ステップＳＴ３の処理について、既にストリーマ放電が開始されているときにはストリーマ放電を行っている状態を維持する。ストリーマ放電は、洗浄モードの運転の終了によって終了する。洗浄動作でストリーマ放電を行う場合には、空調システム１は、室内熱交換器２１の清浄を行うことができる。ただし、放電ユニット２９の放電を停止して洗浄動作を行うように、空調システム１を構成することもできる。
【００７３】
洗浄モードの運転を開始すると、制御部８は、部屋ＲＭの中の空気の絶対湿度が所定湿度に達しているか否かを判断する（ステップＳＴ４）。制御部８は、室内の絶対湿度の値が所定値ＡＨ１である場合だけでなく、所定値ＡＨ１を超えている場合も、室内の絶対湿度の値が所定値ＡＨ１に達していると判断する。
【００７４】
ステップＳＴ４の判断のために、制御部８は、室内温度センサ３１により室内の温度を検知し、室内湿度センサ３２により室内の相対湿度を検知する。制御部８は、室内温度センサ３１により検知した空気の温度の値ＭＴと、室内湿度センサ３２により検知した空気の相対湿度の値ＭＲＨとから、部屋ＲＭの中の空気の絶対湿度を算出する。ここでは、室内湿度センサ３２が相対湿度を検知する相対湿度センサである場合について説明している。しかし、空調室内機２が備える室内湿度センサとして絶対湿度を検知する絶対湿度センサを用い、絶対湿度センサが検知した値と所定値ＡＨ１とを制御部８が比較するように構成することもできる。
【００７５】
室内の絶対湿度が所定値ＡＨ１に達していない場合（ステップＳＴ４のＮｏ）、制御部８は、部屋ＲＭに水分を供給するように、加湿器６を制御する。
【００７６】
この空調システム１の場合には、加湿器６による水分の供給には、２つの方法が設定されている。制御部８は、次の第１加湿動作及び第２加湿動作の中から適切な運転を選択する。
【００７７】
第１加湿動作は、暖房と同時に加湿をする運転である。第１加湿動作では、制御部８は、空気調和機１０による部屋ＲＭに対する暖房動作と加湿器６による部屋ＲＭに対する加湿動作とを同時に行うように、空気調和機１０と加湿器６とを制御する。
【００７８】
第２加湿動作は、第１加湿動作における暖房動作を止めて加湿動作だけをする運転である。第１加湿動作では、制御部８は、加湿器６の加湿動作によって部屋ＲＭに対する加湿を行うように、空気調和機１０と加湿器６とを制御する。第２加湿動作では、暖房動作は行われないが、空調室内機２から部屋ＲＭに高湿度の空気を送るため、空気調和機１０による送風動作が行われる。
【００７９】
制御部８は、室内の温度に基づいて、第１加湿動作か第２加湿動作かを選択する（ステップＳＴ５）。制御部８は、室内温度センサ３１で検知された温度が所定温度Ｔ１以上であれば（ステップＳＴ５のＹｅｓ）、第２加湿動作を選択する。逆に、制御部８は、室内温度センサ３１で検知された温度が所定温度Ｔ１未満であれば（ステップＳＴ５のＮｏ）、第１加湿動作を選択する。
【００８０】
第１加湿動作でも（ステップＳＴ６）、第２加湿動作でも（ステップＳＴ７）、加湿器６による加湿の動作が行われる。第１加湿動作及び第２加湿動作で行われる加湿動作は、通常モードの加湿運転で行われる加湿器６の加湿動作と同じである。ただし、第１加湿動作及び第２加湿動作で行われる加湿動作では、通常モードの加湿運転で出現する加湿能力の最大値以上になるように設定されている。洗浄モードでは、部屋ＲＭの快適性を重要視しておらず、むしろ、洗浄モードの運転を速く終了することを優先している。そのため、洗浄モードでは、室内の絶対湿度が所定値ＡＨ１に早く到達するように、通常モードの加湿運転で出現する加湿能力の最大値以上で、第１加湿動作または第２加湿動作が行われる。例えば、通常モードの加湿運転の加湿能力が低い方から順に、Ｌタップ、Ｍタップ、Ｈタップと設定されている場合には、第１加湿動作及び第２加湿動作では、Ｈタップが選択される。
【００８１】
第１加湿動作では、制御部８は、加湿動作と同時に暖房動作をするように、加湿器６とともに空気調和機１０を制御する。制御部８は、洗浄モードのために予め設定されている目標温度になるように空気調和機１０を制御する。洗浄モードで空気調和機１０が行う暖房動作は、通常モードの暖房運転での空気調和機１０の動作と同じであるので、ここでは説明を省略する。
【００８２】
第１加湿動作の場合も（ステップＳＴ６）、第２加湿動作の場合も（ステップＳＴ７）、加湿の開始から所定時間ｔｔ１が経過したか否かを制御部８が判断する（ステップＳＴ８）。所定時間ｔｔ１が経過していなければ（ステップＳＴ８のＮｏ）、ステップＳＴ３に戻って、室内の絶対湿度が所定値ＡＨ１に達するまで、第１加湿動作または第２加湿動作を継続する。
【００８３】
所定時間ｔｔ１が経過していれば（ステップＳＴ８のＹｅｓ）、異常を報知して（ステップＳＴ１１）、終了時乾燥動作を行って（ステップＳＴ１２）、洗浄モードを終了する。
【００８４】
室内の絶対湿度が所定値ＡＨ１に達している場合には（ステップＳＴ４のＹｅｓ）、洗浄動作を開始する（ステップＳＴ９）。洗浄動作では、加湿器６は、加湿動作を停止している。洗浄動作では、空気調和機１０は、除湿運転と同じ動作を行う。この実施形態の空調システム１では、制御部８が、第１除湿運転と同じ動作を行うように空気調和機１０を制御する。
【００８５】
洗浄動作の開始から、制御部８は、タイマ８１ａによりカウントを開始する。制御部８は、タイマ８１ａが所定時間ｔｔ２を経過した場合（ステップＳＴ１０のＹｅｓ）、第１除湿動作を終了して、終了時乾燥動作を行わせる（ステップＳＴ１２）。
【００８６】
洗浄モードでの終了時乾燥動作は、通常モードの加湿運転の第１乾燥動作と同じ動作である。制御部８は、吸排気ホース６８を乾燥させるため、加湿器６の吸着ファン６５及び吸着ロータ６１を停止させる。また、制御部８は、加湿器６のヒータ６２に空気を加熱させ、第１出入口６３ａから第２出入口６３ｂに向う気流が生じるように切換ダンパ６３を切り換え、吸排気ファン６４を駆動する。
【００８７】
ここで、図８に示されているように、時刻ｔ１０に同時に運転を始まることを想定して、洗浄モードの運転と通常モードの加湿運転を比較する。洗浄モードの運転では、加湿動作の前には吸排気ホース６８を乾燥するための動作がないため、加湿動作を直ぐに始められる（時刻ｔ１０）。洗浄モードでは、通常モードの第１乾燥動作が続いている時刻ｔ１１に加湿動作を終えて洗浄動作に移ることができる。図８に示されている例では、通常モードの加湿運転の第１乾燥動作が終わる時刻ｔ１２には、洗浄モードの洗浄動作が終了している。図８に示されている例では、通常モードの加湿動作が終了する時刻ｔ１３には、洗浄モードの終了時乾燥動作を終えることができている。
【００８８】
（２−３−３）洗浄モードへの移行条件
空調システム１は、制御部８が、ステップＳＴ２において、自動的に、洗浄モードへ移行するか否かの判断を行う。洗浄モードの移行条件を判断するための制御部８の処理について、図９に沿って説明する。
【００８９】
制御部８は、運転モードの判断を行う（ステップＳＴ２１）。運転モードが洗浄モードの場合（ステップＳＴ２１のＹｅｓ）は、積算駆動時間をリセットする（ステップＳＴ２９）。
【００９０】
運転モードが洗浄モード以外の場合には（ステップＳＴ２１のＮｏ）、制御部８は、運転の種類を判断する（ステップＳＴ２２）。実施形態の空調システム１は、洗浄モード以外の運転モードとして、通常モードを有している。しかし、空調システム１は、通常モードと洗浄モード以外の運転モードを有するように構成されてもよい。空調システム１は、通常モードの運転として、冷房運転、暖房運転、除湿運転、加湿運転、送風運転、換気運転及び空気清浄運転を選択できる。また、空調システム１は、通常モードの運転として、冷房運転、暖房運転、除湿運転、加湿運転、送風運転、換気運転及び空気清浄運転以外の運転を有していてもよく、前述の運転のうちの一つまたは複数の運転を備えないように構成されてもよい。
【００９１】
制御部８は、空調システム１が暖房運転、加湿運転、送風運転、換気運転または空気清浄運転を行っている場合（ステップＳＴ２２のＹｅｓ）には、室内ファン２２の駆動時間をカウントする（ステップＳＴ２３）。暖房運転、加湿運転、送風運転、換気運転または空気清浄運転を行っているということは、言い換えれば、冷房運転及び除湿運転以外の運転を行っているということである。室内ファン２２の駆動時間のカウントは、例えば、室内制御板８１のタイマ８１ａを用いて制御演算装置８１ｂが行う。制御演算装置８１ｂは、カウントした駆動時間を記憶装置８１ｃに記憶させる。現在の運転が終了するまで（ステップＳＴ２５のＹｅｓ）、室内ファン２２の駆動時間のカウントが行われる。例えば、暖房運転中であっても、部屋ＲＭの温度が目標温度に達していて、圧縮機４１及び室内ファン２２などが停止しているときは、室内ファン２２の駆動時間のカウントを行わない。
【００９２】
室内ファン２２の駆動時間のカウントが行われるのは、第１駆動時間と第２駆動時間である。第１駆動時間は、通常モードにおいて室内熱交換器２１で空気を温める空調室内機２の運転時の室内ファン２２の駆動時間である。言い換えると、第１駆動時間は、空調室内機２の暖房運転（暖房加湿運転を含む）のときの室内ファン２２の駆動時間である。第２駆動時間は、通常モードにおいて室内熱交換器２１で熱交換を行わない空調室内機２の運転時の室内ファン２２の駆動時間である。言い換えると、第２駆動時間は、加湿運転（暖房加湿運転を除く）、送風運転、換気運転及び空気清浄運転のときの室内ファン２２の駆動時間である。
【００９３】
制御部８は、空調システム１が冷房運転または除湿運転を行っている場合（ステップＳＴ２２のＮｏ）には、さらに、冷房運転または除湿運転の運転時間が所定時間ｔｔ３以上になっているか否かの判断を行う（ステップＳＴ２４）。冷房運転または除湿運転の運転時間は、例えば、室内制御板８１のタイマ８１ａを用いて制御演算装置８１ｂがカウントする。制御演算装置８１ｂは、カウントした運転時間を記憶装置８１ｃに記憶させる。冷房運転または除湿運転の運転時間が所定時間ｔｔ３以上であれば（ステップＳＴ２４のＹｅｓ）、制御部８は、室内ファン２２の積算駆動時間をリセットする（ステップＳＴ２９）。言い換えると、制御部８は、通常モードにおいて室内熱交換器２１で結露を生じる空調室内機２の運転をした場合に、積算駆動時間をリセットする。
【００９４】
冷房運転及び除湿運転の運転時間が所定時間ｔｔ３未満であれば（ステップＳＴ２４のＮｏ）、制御部８は、室内ファン２２の駆動時間のカウントを行わずに、現在の運転が終了したか否かを判断するステップＳＴ２５に移行する。言い換えると、制御部８は、通常モードで空調室内機２が室内熱交換器２１で結露を生じる運転をしているときの室内ファン２２の駆動時間を、積算駆動時間に算入しない制御をする。
【００９５】
現在の運転が終了すると（ステップＳＴ２５のＹｅｓ）、制御部８は、室内ファン２２の積算駆動時間を算出する（ステップＳＴ２６）。制御部８は、記憶装置８１ｃに記憶されている駆動時間を積算して積算駆動時間を算出する。ここでは、暖房運転、加湿運転、送風運転、換気運転及び空気清浄運転の室内ファン２２の各駆動時間を合計して積算駆動時間を算出する。しかし、積算駆動時間の算出方法は、単に各運転の駆動時間を合計する方法に限られない。例えば、運転の種類ごとに重み付けを行って積算駆動時間を算出するように、制御部８を構成することもできる。
【００９６】
制御部８は、積算駆動時間が所定駆動時間ＣＴ１以上になっているか否かを判断する（ステップＳＴ２７）。積算駆動時間が所定駆動時間ＣＴ１以上になっていれば（ステップＳＴ２７のＹｅｓ）、制御部８は、洗浄モードに移行する（ステップＳＴ２７）。図９のステップＳＴ２７の判断は、図７のステップＳＴ２の判断の一例である。ここでは、積算駆動時間が所定駆動時間ＣＴ１以上になっていれば、洗浄モードへの移行条件が満たされたと判断している。しかし、洗浄モードへの移行条件は、積算駆動時間が所定駆動時間ＣＴ１以上になっていることに限らなくてもよい。洗浄モードへの移行条件として、例えば、通常モードの運転が停止されているという条件が加えられてもよい。
【００９７】
制御部８は、積算駆動時間が所定駆動時間ＣＴ１未満であれば（ステップＳＴ２７のＮｏ）、最初に戻って（ステップＳＴ２１）、積算駆動時間の積算のためのステップを繰り返す。
【００９８】
洗浄モードへの移行（ステップＳＴ２８）の後、積算駆動時間をリセットして（ステップＳＴ２９）、空調システム１が停止していなければ（ステップＳＴ３０のＮｏ）、最初に戻って（ステップＳＴ２１）、積算駆動時間の積算のためのステップを繰り返す。洗浄モードの運転の場合には、ステップＳＴ２１、ステップＳＴ２９及びステップＳＴ３０を繰り返すので、たとえ室内ファン２２が駆動されても積算駆動時間はカウントされない。
【００９９】
（３）変形例
（３−１）変形例１Ａ
上記実施形態では、室内熱交換器２１が補助熱交換部を有していない空調システム１を例に挙げて説明している。しかし、１実施形態の空調システム１は、室内熱交換器２１として、補助熱交換部を有する熱交換器を用いることができる。補助熱交換部は、例えば、第１熱交換部２１Ｆの上下方向の中間よりも上の位置の前面側に取り付けられる。
【０１００】
室内熱交換器２１に補助熱交換部を設ける場合、第２除湿運転では、制御部８は、電磁弁２８をオフして、圧縮機４１の運転周波数と室外膨張弁４５の開度とを調整する。制御部８は、前述のような調整により、補助熱交換部を蒸発域にする。このとき、第１熱交換部２１Ｆおよび第２熱交換部２１Ｒを過熱域にする。
【０１０１】
（３−２）変形例１Ｂ
上記実施形態では、洗浄モードの洗浄動作として、通常モードの第１除湿運転と同じ冷凍サイクルが冷媒回路１３で実施される場合について説明している。しかし、洗浄モードの洗浄動作として、室内熱交換器２１の表面で結露を生じさせる洗浄動作は、第１除湿運転と同じ冷凍サイクルの実施には限られない。
【０１０２】
洗浄動作は、例えば、洗浄動作の開始時に、第１除湿運転を行い、途中から第２除湿運転または第３除湿運転に変更するような運転であってもよい。このような場合、制御部８の制御は、洗浄動作の開始時には、第１熱交換部２１Ｆと第２熱交換部２１Ｒの実質的に全部を蒸発域にし、洗浄動作の途中で、第２熱交換部２１Ｒを過熱域または凝縮域に変更する制御になる。
【０１０３】
（３−３）変形例１Ｃ
上記実施形態では、洗浄モードの終了時乾燥動作（ステップＳＴ１２）には、空気調和機１０の送風・暖房運転による室内熱交換器２１の乾燥が含まれてもよい。
【０１０４】
（３−４）変形例１Ｄ
上記実施形態では、所定時間ｔｔ１が経過しても絶対湿度が所定値ＡＨ１に達しない場合に、制御部８は、加湿器６に加湿を終了させるとともに、洗浄動作ができないことを報知する（ステップＳＴ１１）。しかし、空調システムは、絶対湿度が所定値ＡＨ１に達しない場合に、上記実施形態とは異なる処理を行うように構成されてもよい。
【０１０５】
ステップＳＴ１０以降の処理について、例えば、上記実施形態の空調システム１の制御部８の制御を次のように変更してもよい。第１加湿動作（ステップＳＴ６）または第２加湿動作（ステップＳＴ７）による加湿の開始から所定時間ｔｔ１が経過した場合に、制御部８は、洗浄動作を開始する（ステップＳＴ９）。洗浄動作を開始した後の制御部８の制御は、上記実施形態と同様に行われる。
【０１０６】
（３−５）変形例１Ｅ
上記実施形態において、洗浄モードの加湿動作として、第１加湿動作または第２加湿動作を選択的に実行する場合について説明している。しかし、加湿モードの加湿動作は、第１加湿動作または第２加湿動作に限られない。例えば、洗浄モードの加湿動作として、次のような第３加湿運転を選択できるように空調システム１を構成してもよい。
【０１０７】
第３加湿動作は、室外の空気を部屋ＲＭに供給することで、部屋ＲＭに水分を供給する運転である。室外の空気に含まれる水分量が多い場合には、室外の空気を部屋ＲＭに供給することで、部屋ＲＭの絶対湿度を所定値ＡＨ１に到達させることができる場合がある。制御部８は、図７に示されているステップＳＴ５の前に、室外の空気を部屋ＲＭに供給することで、部屋ＲＭの絶対湿度を所定値ＡＨ１に到達させることができるか否かを判断する。制御部８は、外気温度センサ５１及び外気湿度センサ７１で室外の空気の温度と相対湿度を検知する。制御部８は、例えば、室外の空気の温度が所定温度Ｔ２以上で、室外の空気の相対湿度が所定湿度ＲＨ１以上の場合には、部屋ＲＭの絶対湿度を所定値ＡＨ１に到達させることができると判断する。所定値ＡＨ１に到達させられると判断した場合に、制御部８は、吸排気ファン６４を駆動して、吸排気ホース６８を通して部屋ＲＭに室外の空気を供給する給気運転を行う。
【０１０８】
（３−６）変形例１Ｆ
上記実施形態では、通常モードの運転中に室内ファン２２が駆動されている時間を駆動時間としてカウントしている。しかし、駆動時間のカウントの方法は、このような方法には限られない。例えば、簡易な駆動時間のカウント方法として、通常モードの運転の時間をカウントするようにしてもよい。例えば、ある暖房運転の運転時間がｔｔ４、その暖房運転の中での室内ファン２２の駆動時間がｔｔ５（ただし、ｔｔ５＜ｔｔ４）とした場合、暖房運転の運転時間ｔｔ４を室内ファン２２の駆動時間として用いてもよい。
【０１０９】
（３−７）変形例１Ｇ
上記変形例１Ｆでは、室内ファン２２の簡便なカウント方法として、通常モードの運転の運転時間を駆動時間として用いる場合について説明した。それ以外にも、例えば、空調室内機２がエアフィルタ２４の掃除機構を有している場合、エアフィルタ２４の掃除機構の清掃回数を、室内ファン２２の駆動時間とみなしてもよい。例えば、掃除機構の１回の清掃を、室内ファン２２の駆動時間の１０時間と見なすなどである。制御部８は、例えば、ステップＳＴ２３では清掃機構の清掃回数をカウントし、ステップＳＴ２６では清掃機構の積算清掃回数を算出する。制御部８は、ステップＳＴ２７では、清掃機構が所定回数（例えば２０回）清掃すれば、洗浄モードに移行すると判断する。また、ステップＳＴ２９では、制御部８は、清掃機構の清掃回数をリセットする。
【０１１０】
（３−８）変形例１Ｈ
上記実施形態では、加湿器６が空調室外機４と一体化されている場合について説明している。しかし、室外に配置される加湿器６が空調室外機４と一体化されていなくてもよく、別体であってもよい。室外に配置される加湿器６と空調室外機４とが別体の場合としては、例えば、空調室外機４が室外の地面に置かれ、加湿器６が外壁に取り付けられている場合がある。
【０１１１】
（３−９）変形例１Ｉ
上記実施形態では、吸排気ホース６８が空調室内機２を介して部屋ＲＭの中の空間に間接的に連通している場合を示している。しかし、吸排気ホース６８は、空調室内機２を介さず、直接部屋ＲＭの中の空間と連通するように設置されてもよい。
【０１１２】
（３−１０）変形例１Ｊ
上記実施形態では、洗浄モードの運転の加湿動作の前に、乾燥のための動作を行わない場合を示している。しかし、図１０に示されているように、空調システム１は、洗浄モードの運転の加湿動作の前に、第１乾燥動作よりも短い第２乾燥動作を行うように構成されてもよい。第１乾燥動作に要する時間が第２乾燥動作に要する時間よりも短い（（時刻ｔ１２−時刻ｔ１０）＞（時刻ｔ２１−ｔ１０））。そのために、制御部８は、洗浄モードでは、第１乾燥動作よりも運転時間が短い第２乾燥動作によって水分が付与された空気を送り始める前に吸排気ホース６８を乾燥させるように、加湿器６を制御する。
【０１１３】
（３−１１）変形例１Ｋ
上記実施形態では、ステップＳＴ４で、絶対湿度が所定値ＡＨ以上と判断された場合には、加湿動作を行わずに、洗浄動作（ステップＳＴ９）を開始する場合について説明した。しかし、図１１に示されているように、絶対湿度が所定値ＡＨ以上と判断された後に、室内の温度が所定温度Ｔ１以上か否かを判断するように構成してもよい。制御部８は、絶対湿度が所定値ＡＨ以上と判断された場合（ステップＳＴ４のＹｅｓ）、次に、室内の温度が所定温度Ｔ１以上か否かを判断する（ステップＳＴ１３）。言い換えると、制御部８は、室内の温度に基づいて、第１加湿動作を行うか否かを選択する。制御部８は、室内温度センサ３１で検知された温度が所定温度Ｔ１以上であれば（ステップＳＴ１３のＹｅｓ）、洗浄動作を開始する（ステップＳＴ９）。逆に、制御部８は、室内温度センサ３１で検知された温度が所定温度Ｔ１未満であれば（ステップＳＴ１３のＮｏ）、第１加湿動作を選択する。室内の温度が低すぎると結露水を多く発生させることができないが、ステップＳＴ１３の判断を追加することにより、室内の温度が低すぎて結露水を多く発生させることができない状況を回避することができる。
【０１１４】
（４）特徴
（４−１）
上記実施形態及び変形例１Ｊの空調システム１の加湿器６は、吸排気ホース６８を有している。そのため、制御部８は、通常モードでは、水分を付与した空気を、吸排気ホース６８を通して送らせ始める前に、吸排気ホース６８を乾燥させる第１乾燥動作を加湿器６に行わせる。それに対し、実施形態の制御部８は、洗浄モードにおいて、水分を付与した空気を、吸排気ホース６８を通して送らせ始める前に、吸排気ホース６８を乾燥させる動作を加湿器６に行わせない。また、変形例１Ｊの制御部８は、洗浄モードにおいて、水分を付与した空気を、吸排気ホース６８を通して送らせ始める前に、吸排気ホース６８を乾燥させる第２乾燥動作を加湿器６に行わせる。この第２乾燥動作の動作期間は、第１乾燥動作の動作期間よりも短い。
【０１１５】
吸排気ホース６８を乾燥させる運転を行わずに水分が付与された空気を送り始める場合には、第１乾燥動作の運転時間（図８の時刻ｔ１０から時刻ｔ１２までの時間）の分だけ時間を短縮して洗浄動作を早く始めることができる。また、空調システム１は、洗浄モードの第２乾燥動作によって水分が付与された空気を送り始める前に吸排気ホース６８を乾燥させる場合は、第１乾燥動作よりも第２乾燥動作の運転時間が短い分（時刻ｔ１２から時刻ｔ２１までの時間）だけ、時間を短縮して洗浄動作を早く始めることができる。
【０１１６】
（４−２）
実施形態及び変形例１Ｊの空調システム１の制御部８は、洗浄モードでは、室内熱交換器２１の洗浄動作を行った後に、吸排気ホース６８を乾燥させる第３乾燥動作である終了時乾燥動作を行うように加湿器６を制御している。洗浄動作後に終了時乾燥動作（第３乾燥動作）で吸排気ホース６８を乾燥させることにより、洗浄動作後の吸排気ホース６８の状態を良好に保つことができる。
【０１１７】
（４−３）
実施形態及び変形例１Ｊの空調システム１の加湿器６は、ヒータ６２を有している。制御部８は、第３乾燥動作である終了時乾燥動作では、空気に水分を付与する機能を停止してヒータ６２で加熱された空気を吸排気ホース６８の中を通すように加湿器６を制御している。このように、加湿器６のヒータ６２により吸排気ホース６８の中を乾燥させることができるので、洗浄モードの終了時に吸排気ホース６８を乾燥させるための機器の増設を抑制することができる。
【０１１８】
（４−４）
実施形態及び変形例１Ｊの加湿器６は、外気の水分を吸着する吸着部材である吸着ロータ６１を有している。この加湿器６は、吸排気ホース６８で室内に送る空気に、吸着ロータ６１で外気から吸着した水分を付与する。吸着ロータ６１のような吸着部材が無い場合には、例えば利用者が洗浄モードで用いる水を補給する水分供給作業を行うことが必要になる。それに対し、空調システム１は、洗浄モードにおいて、吸着ロータ６１により外気から水分を得ることで水分供給作業を省くことができ、室内熱交換器２１の洗浄時の手間を省くことができる。
【０１１９】
（４−５）
実施形態及び変形例１Ｊの制御部８は、洗浄モードで、室内の絶対湿度が所定値ＡＨ１に達するように加湿器６を制御する（ステップＳＴ６，ＳＴ７）。その加湿器６による加湿動作の後、制御部８は、室内熱交換器２１の表面（特に伝熱フィン２１ａの表面）で結露を生じさせることで表面を洗浄する洗浄動作を空調室内機２に行わせる。例えば、洗浄モードの前に、部屋ＲＭの中が気象条件などによって乾燥して、部屋ＲＭの空気中に室内熱交換器２１の十分な洗浄を行うのに、水分量が不足している場合がある。しかし、このような場合でも、洗浄モードでの第１加湿動作及び／または第２加湿動作（ステップＳＴ６，ＳＴ７）により、不足している部屋ＲＭの空気の水分を補うことができる。上記実施形態及び変形例１Ｊの空調システム１は、洗浄モードの第１加湿動作及び／または第２加湿動作で、部屋ＲＭの絶対湿度を所定値ＡＨ１（室内の湿度を所定湿度にする例）まで上げて十分な結露水で洗浄動作を行うことができる。
【０１２０】
以上、本開示の実施形態を説明したが、特許請求の範囲に記載された本開示の趣旨及び範囲から逸脱することなく、形態や詳細の多様な変更が可能なことが理解されるであろう。
【符号の説明】
【０１２１】
１  空調システム
２  空調室内機
６  加湿器
８  制御部
２１  室内熱交換器
６２  ヒータ
６８  吸排気ホース
【先行技術文献】
【特許文献】
【０１２２】
【特許文献１】特開２０１８−７１９０５号公報
【図１】
0006922954.tif 000002
【図２】
0006922954.tif 000003
【図３】
0006922954.tif 000004
【図４】
0006922954.tif 000005
【図５】
0006922954.tif 000006
【図６】
0006922954.tif 000007
【図７】
0006922954.tif 000008
【図８】
0006922954.tif 000009
【図９】
0006922954.tif 000010
【図１０】
0006922954.tif 000011
【図１１】
0006922954.tif 000012